(57)【要約】【課題】好適な階調補正を行う。【解決手段】実施形態の映像処理装置は、第１の抽出手段と、第２の抽出手段と、合成手段と、補正手段と、出力手段と、を備える。第１の抽出手段は、画像情報から、明るさの分布情報を抽出する。第２の抽出手段は、画像情報のうち、所定の範囲内の色差成分を有する画素から、明るさの分布情報を抽出する。合成手段は、第１の抽出手段で抽出された明るさの分布情報に、第２の抽出手段から抽出された明るさの分布情報を合成する。補正手段は、合成手段で合成された明るさの分布情報に基づいて、画像情報に対して階調補正を行う。出力手段は、補正手段により階調補正された画像情報を出力する。【選択図】図１
2013211812.tif 000002
【特許請求の範囲】
【請求項１】
画像情報から、明るさの分布情報を抽出する第１の抽出手段と、
前記画像情報のうち、所定の範囲内の色差成分を有する画素の、明るさの分布情報を抽出する第２の抽出手段と、
前記第１の抽出手段で抽出された明るさの分布情報に、前記第２の抽出手段から抽出された明るさの分布情報を合成する合成手段と、
前記合成手段で合成された明るさの分布情報に基づいて、前記画像情報に対して階調補正を行う補正手段と、
前記補正手段により階調補正された前記画像情報を出力する出力手段と、
を備える映像処理装置。
【請求項２】
前記出力手段は、さらに、前記所定の範囲内の色差成分を有する画素による明るさ成分と、他の画素による明るさ成分と、の色を異ならせた上で、前記画像情報の明るさの分布情報を出力する、
請求項１に記載の映像処理装置。
【請求項３】
前記合成手段は、前記第１の抽出手段で抽出された明るさの分布情報に、前記第２の抽出手段から抽出された明るさの分布情報を加算する、
請求項１又は２に記載の映像処理装置。
【請求項４】
前記合成手段が合成した明るさの分布情報に基づいて、トーンカーブを生成する生成手段と、
前記補正手段は、生成されたトーンカーブに基づいて前記画像情報に対して階調補正を行う、
請求項１乃至３のいずれか１つに記載の映像処理装置。
【請求項５】
前記出力手段は、さらに、前記生成手段により生成されたトーンカーブを、前記画像情報に重畳して出力する、
請求項１乃至４のいずれか１つに記載の映像処理装置。
【請求項６】
前記出力手段により出力された前記画像情報を表示する表示部を、
さらに備える請求項１乃至３のいずれか１つに記載の映像処理装置。
【請求項７】
映像処理装置で実行される映像処理方法であって、
第１の抽出手段が、画像情報から、明るさの分布情報を抽出する第１の抽出ステップと、
第２の抽出手段が、前記画像情報のうち、所定の範囲内の色差成分を有する画素の、明るさの分布情報を抽出する第２の抽出ステップと、
合成手段が、前記第１の抽出ステップで抽出された明るさの分布情報に、前記第２の抽出ステップから抽出された明るさの分布情報を合成する合成ステップと、
補正手段が、前記合成ステップで合成された明るさの分布情報に基づいて、前記画像情報に対して階調補正を行う補正ステップと、
出力手段が、補正ステップにより階調補正された前記画像情報を出力する出力ステップと、
を含むことを特徴とする映像処理方法。
【請求項８】
画像情報から、明るさの分布情報を抽出する第１の抽出ステップと、
前記画像情報のうち、所定の範囲内の色差成分を有する画素の、明るさの分布情報を抽出する第２の抽出ステップと、
前記第１の抽出ステップで抽出された明るさの分布情報に、前記第２の抽出ステップから抽出された明るさの分布情報を合成する合成ステップと、
前記合成ステップで合成された明るさの分布情報に基づいて、前記画像情報に対して階調補正を行う補正ステップと、
前記補正ステップにより階調補正された前記画像情報を出力する出力ステップと、
をコンピュータに実行させるための映像処理プログラム。
【発明の詳細な説明】
【技術分野】
【０００１】
本発明の実施形態は、映像処理装置、映像処理方法、及び映像処理プログラムに関する。
【背景技術】
【０００２】
従来から、映像信号に対して、様々な画像処理が行われている。画像処理の手法としては、例えば、当該画像データの階調補正を行う技術がある。
【０００３】
映像信号により表示される画面領域全体に対して階調補正を行うと、高輝度領域では白飛びが、低輝度領域では黒つぶれが生じやすいという問題が生じていた。このため、映像信号により表示される画面領域全体から抽出される輝度のヒストグラムに基づいて、階調補正を行うことで、白飛びや黒つぶれを抑止する技術が提案されている。
【先行技術文献】
【特許文献】
【０００４】
【特許文献１】特開２００５−１３０４８６号公報
【発明の概要】
【発明が解決しようとする課題】
【０００５】
しかしながら、従来技術において、単に輝度のヒストグラムの階調補正を行うだけでは、白飛びや黒つぶれの抑止は可能であるが、ユーザが所望する階調補正がなされたとは限らない。例えば、ユーザが、ゴルフなどのスポーツの番組を視聴している場合に、芝の目が認識できるよう階調補正を行って欲しいなどの要求もある。
【０００６】
本発明は、上記に鑑みてなされたものであって、好適な階調補正を行う映像処理装置、映像処理方法、及び映像処理プログラムを提供することを目的とする。
【課題を解決するための手段】
【０００７】
実施形態の映像処理装置は、第１の抽出手段と、第２の抽出手段と、合成手段と、補正手段と、出力手段と、を備える。第１の抽出手段は、画像情報から、明るさの分布情報を抽出する。第２の抽出手段は、画像情報のうち、所定の範囲内の色差成分を有する画素の、明るさの分布情報を抽出する。合成手段は、第１の抽出手段で抽出された明るさの分布情報に、第２の抽出手段から抽出された明るさの分布情報を合成する。補正手段は、合成手段で合成された明るさの分布情報に基づいて、画像情報に対して階調補正を行う。出力手段は、補正手段により階調補正された画像情報を出力する。
【図面の簡単な説明】
【０００８】
【図１】図１は、第１の実施形態にかかるテレビジョン放送受信装置のハードウェア構成を示した図である。
【図２】図２は、第１の実施形態にかかる特定色分布抽出部により抽出される緑色成分の領域を示した図である。
【図３】図３は、第１の実施形態にかかる合成部により合成された輝度のヒストグラムの例を示した図である。
【図４】図４は、第１の実施形態にかかるトーンカーブ生成部により生成されるトーンカーブを示した図である。
【図５】図５は、第１の実施形態にかかるトーンカーブ生成部が生成したトーンカーブに基づく輝度ヒストグラムによる階調補正を行わない場合の画面例を示した図である。
【図６】図６は、第１の実施形態にかかる表示制御部が生成したトーンカーブに基づく輝度ヒストグラムによる階調補正を行った場合の画面例を示した図である。
【図７】図７は、第１の実施形態にかかるテレビジョン放送受信装置が表示する映像設定メニューの例を示した図である。
【図８】図８は、第１の実施形態にかかるテレビジョン放送受信装置が表示するコンテンツモード選択メニューの例を示した図である。
【図９】図９は、第１の実施形態にかかるテレビジョン放送受信装置が表示する表示画面上に表示されるヒストグラム表示ウィンドウの例を示した図である。
【図１０】図１０は、第１の実施形態にかかるテレビジョン放送受信装置における階調補正を行うまでの処理の手順を示すフローチャートである。
【発明を実施するための形態】
【０００９】
（第１の実施の形態）
図１は、第１の実施形態にかかるテレビジョン放送受信装置１００のハードウェア構成を示した図である。図１は、上記したテレビジョン放送受信装置１００の主要な信号処理系を示すブロック図である。
【００１０】
図１に示すように、その入力側に地上放送受信用のアンテナ１０１が接続され、また、テレビジョン放送受信装置１００は、外部の表示装置や音声出力装置に直接に、ユーザは、テレビジョン放送受信装置１００に設けられた（図示しない）操作部を介して本装置の操作を行えるほか、赤外線通信によるリモートコントローラ１８０を介した操作が可能である。
【００１１】
テレビジョン放送受信装置１００は、受信したデジタルテレビジョン放送信号をデコードすることにより放送番組を表示し、ユーザは受信した放送番組を視聴できるようになっている。また、外部の表示装置や音声出力装置を利用して放送番組を視聴できるようにもなっており、受信した放送番組を記録することも可能である。
【００１２】
なお、図１に示すテレビジョン放送受信装置１００は、放送波受信用に複数のチューナ等の受信回路を備える構成としてもよい。
【００１３】
地上波放送受信用のアンテナ１０１で受信した地上デジタルテレビジョン放送信号は、入力端子１０２を介して地上デジタル放送用のチューナ１０３に供給される。
【００１４】
チューナ１０３は、処理部１０５からの制御信号により所望のチャネルの放送信号を選局し、この選局された放送信号を復調器１０４ａに出力する。
【００１５】
復調器１０４ａは、処理部１０５からの制御信号により、チューナ１０３で選局された放送信号を復調し、所望の番組を含んだトランスポートストリームを得て、復号器１０４ｂに出力する。
【００１６】
復号器１０４ｂは、処理部１０５からの制御信号によりトランスポートストリーム（ＴＳ）に多重化された信号のＴＳ復号処理を行い、所望の番組のデジタルの映像信号及び音声信号をデパケットすることにより得たＰＥＳ（Packetized  Elementary  Stream）を信号処理部１０６内のＳＴＤバッファへ出力する。また、復号器１０４ｂは、デジタル放送により送られているセクション情報を信号処理部１０６内のセクション部１３２へ出力する。
【００１７】
ここで、信号処理部１０６は、デコーダ１３１とセクション部１３２と抽出部１３３とを備え、入力された信号の処理を行う。
【００１８】
デコーダ１３１は、テレビ視聴時には、復号器１０４ｂから供給されたデジタルの映像信号及び音声信号に対して、選択的に所定のデジタル信号処理を施し、グラフィック処理部１０７及び音声処理部１０８に出力する。一方、番組録画時には、復号器１０４ｂから供給されたデジタルの映像信号及び音声信号に対して、選択的に所定のデジタル信号処理を施した信号を、処理部１０５を介して記録装置（例えば、ＨＤＤ）１７０に記録する。
【００１９】
また、デコーダ１３１は、録画番組再生時には、処理部１０５を介して記録装置（例えば、ＨＤＤ）１７０から読み出された録画番組のデータに、所定のデジタル信号処理を施し、グラフィック処理部１０７及び音声処理部１０８に出力している。
【００２０】
抽出部１３３は、デジタル信号処理を施した後の映像信号から、当該映像信号により表示される画面における輝度の分布情報（ヒストグラム）を抽出する。そして、抽出部１３３により抽出された輝度の分布情報は、処理部１０５の表示制御部１５０に出力される。
【００２１】
処理部１０５には、信号処理部１０６から、番組を取得するための各種データ（Ｂ−ＣＡＳデスクランブル用の鍵情報等）や電子番組ガイド（ＥＰＧ）情報、番組属性情報（番組ジャンル等）、字幕情報等（サービス情報、ＳＩやＰＳＩ）が入力されている。処理部１０５は、これら入力された情報からＥＰＧ、字幕を表示するため画像生成処理を行い、この生成した画像情報をグラフィック処理部１０７へ出力する。
【００２２】
また、この処理部１０５は、番組録画および番組予約録画を制御する機能を有し、番組予約受付時には、表示装置１１１に電子番組ガイド（ＥＰＧ）情報を表示し、操作部１２０またはリモートコントローラ１８０を介したユーザ入力により予約内容を所定の記憶手段に設定する。そして、設定された時刻に予約番組を録画するようチューナ１０３、復調器１０４ａ、復号器１０４ｂおよび信号処理部１０６を制御する。
【００２３】
セクション部１３２は、復号器１０４ｂから入力されたセクション情報の中から、番組を取得するための各種データや電子番組ガイド（ＥＰＧ）情報、番組属性情報（番組ジャンル等）、字幕情報等（サービス情報、ＳＩやＰＳＩ）を処理部１０５へ出力する。
【００２４】
グラフィック処理部１０７は、（１）信号処理部１０６内のデコーダ１３１から供給されるデジタルの映像信号と、（２）ＯＳＤ（On  Screen  Display）信号生成部１０９で生成されるＯＳＤ信号と、（３）データ放送による画像データと、（４）処理部１０５により生成されたＥＰＧ、字幕信号とを合成して映像処理部１１０へ出力する機能を有する。また、字幕放送による字幕を表示するとき、グラフィック処理部１０７は、処理部１０５からの制御による字幕情報に基づき、映像信号上に字幕情報を重畳する処理を行う。
【００２５】
グラフィック処理部１０７から出力されたデジタルの映像信号は、映像処理部１１０に供給される。この映像処理部１１０は、入力されたデジタルの映像信号を、表示装置１１１で表示可能なアナログ映像信号に変換した後、表示装置１１１に出力して映像表示させる。また、出力端子１１２を介して外部の表示装置（図示せず）に、当該表示装置で表示可能なフォーマットの映像信号を出力して映像表示させることもできる。
【００２６】
また、上記音声処理部１０８は、入力されたデジタルの音声信号を、音声出力装置１１３で再生可能なアナログ音声信号に変換した後、音声出力装置１１３に出力して音声を再生させる。また、出力端子１１４を介して外部の音声出力装置（図示せず）に、当該音声出力装置で再生可能なフォーマットの音声信号を出力して音声再生させることもできる。
【００２７】
ここで、このテレビジョン放送受信装置１００は、上記した各種の受信動作を含むその全ての動作を処理部１０５によって統括的に制御されている。この処理部１０５は、ＣＰＵ（Central  Processing  Unit）等を内蔵しており、操作部１２０からの操作情報を受け、または、リモートコントローラ１８０から送出された操作情報を、受光部１２１を介して受信し、その操作内容（例えば、チャネル切換操作など）が反映されるように各部をそれぞれ制御している。
【００２８】
この場合、処理部１０５は、主として、そのＣＰＵが実行する制御プログラムを格納したＲＯＭ（Read  Only  Memory）１０５ａと、当該ＣＰＵに作業エリアを提供するＲＡＭ（Random  Access  Memory）１０５ｂと、各種の設定情報、制御情報及び番組情報等が格納されるフラッシュメモリなどの不揮発性メモリ１０５ｃとを利用している。
【００２９】
また、処理部１０５は、表示制御部１５０を備えている。図１に示すように、表示制御部１５０は、特定色分布抽出部１５１と、合成部１５２と、トーンカーブ生成部１５３と、を備えている。
【００３０】
また、映像処理部１１０は、補正部１６１を備えている。補正部１６１は、表示制御部１５０のトーンカーブ生成部１５３により生成されたトーンカーブに従って、デジタルの映像信号に含まれている画面情報を補正する。トーンカーブに従って補正を行う際に、補正部１６１は、不揮発性メモリ１０５ｃに記憶されている、データ変換テーブル１０５ｄを参照する。補正部１６１は、データ変換テーブル１０５ｄを参照することで、トーンカーブに従った映像信号を補正できる。
【００３１】
本実施形態にかかるテレビジョン放送受信装置１００においては、上述した構成を備えることで、入力された映像信号の輝度に対するヒストグラムを取得し、当該ヒストグラムに基づいて階調補正を行う。ところで、特定の映像信号においては、従来から用いられている規定のルールに基づいた階調補正よりも、特定の色についての明暗を明確にさせたい場合もある。
【００３２】
そこで、本実施形態にかかるテレビジョン放送受信装置１００では、特定の色を示している輝度のヒストグラムを取得し、当該輝度のヒストグラムに基づいて階調補正を行うこととした。当該特定の色の輝度ヒストグラムに基づいて階調補正を行うことで、当該特定の色の明暗をユーザに対して認識しやすいよう表示することが可能となる。
【００３３】
特定の色を示している輝度のヒストグラムに基づいた階調補正が必要な場合としては、例えば、ゴルフ番組においては、芝による緑が、表示画面で占める割合が高い。そして、視聴者は、当該芝の違いを把握したい状況が存在する。特に、パットのシーンでは、グリーン上のアンジュレーションや芝の流れをハッキリと認識したいという要求が高い。
【００３４】
そこで、本実施形態では、緑成分に着目して階調補正処理への追加補正処理を行うこととした。これにより、ユーザは、グリーンのコンディションを認識できるために、新たな観点をくわえて、ゴルフ番組を楽しむことができる。
【００３５】
なお、本実施形態では、ゴルフ番組を例に説明するが、ゴルフ番組に制限するものではなく、他の番組に対して適用しても良い。例えばテニス番組等でも良い。また、テニス番組においては、芝コートの場合に制限するものではなく、クレーコートの場合に適用しても良い。この場合、クレーコートの色成分に着目して階調補正を行えば、クレーコートの表面状態を、視聴者は認識することができる。このように、コンテンツに応じた色成分に基づいて階調補正を行っても良い。
【００３６】
特定色分布抽出部１５１は、デジタル映像信号に従って表示される画面情報のうち、所定の範囲内の色差成分を有する画素から、輝度のヒストグラムを抽出する。次に、本実施形態において、輝度のヒストグラムの抽出対象となる、色差成分について説明する。なお、本実施形態は、輝度のヒストグラムを用いた例について説明するが、画面情報の明暗を認識可能であれば、輝度以外の要素であっても良い。
【００３７】
図２は、特定色分布抽出部１５１により抽出される緑色成分の領域を示した図である。図２に示す例は、輝度信号Ｙ、２つの色差信号（Ｃｂ、Ｃｒ）で表現される色空間のうち、特定色分布抽出部１５１が抽出する対象となる緑成分の領域を示している。図２に示すように、輝度信号Ｙ、２つの色差信号（Ｃｂ、Ｃｒ）をそれぞれ異なる軸として示した色空間（三次元座標）上において、Ｃｂを０度として、緑は約２３２度を示される。そこで、本実施形態では、抽出対象となる緑成分として、約２３２度を中心として±５〜１０度程度の扇形を、抽出対象として指定する。映像信号のうち、当該扇形に輝度信号を示したＹ軸を組み合わせた部分領域２０１に含まれる画素が、緑色成分として抽出される対象となる。
【００３８】
合成部１５２は、抽出部１３３で抽出された輝度のヒストグラムに、特定色分布抽出部１５１から抽出された輝度のヒストグラムを合成する。本実施形態は、合成手法として、加算を用いた例とする。なお、本実施形態は、合成手法を加算に制限するものではなく、乗算などの他の手法を用いても良い。
【００３９】
図３は、合成部１５２により合成された輝度のヒストグラムの例を示した図である。図３の（１）が抽出部１３３により抽出された輝度のヒストグラムである。当該ヒストグラムでは、横軸が輝度であり、縦軸が画素の個数である。なお、縦軸は、画素の個数の代わりに、表示画面における輝度毎の面積と考えても良い。図３の（２）が特定色分布抽出部１５１により抽出された緑色成分の輝度のヒストグラムである。そして、合成部１５２が、抽出部１３３により抽出された輝度のヒストグラム（図３の（１））に、特定色分布抽出部１５１により抽出された緑色成分の輝度のヒストグラム（図３の（２））を加算することで、合成された輝度の合成ヒストグラム（図３の（３））を生成する。
【００４０】
図３の（３）に示す例では、抽出部１３３により抽出された輝度のヒストグラム３０１の上に、特定色分布抽出部１５１により抽出された緑色成分の輝度のヒストグラム３０２が重畳されている。このように、本実施形態では、輝度の要素毎に加算が行われる。
【００４１】
なお、加算処理においては、特に暗部へ集中した際に微分利得の上昇が行われるとノイズ成分も合わせて向上させ、不快なイメージとなる可能性がある。そこで、本実施形態では、加算を行う際に輝度レベル毎に異なる重み付け係数を用いても良い。
【００４２】
本実施形態にかかる合成部１５２は、緑色成分の輝度のヒストグラム３０２（図３の（２））について、レベル毎に異なる重み付け係数を乗算した上で、抽出部１３３により抽出された輝度のヒストグラム３０１（図３の（１））に対して加算する。重み付けとしては、最も効果の高い中間輝度成分には重み付けを大きくし、色成分の効果の薄くなるペデスタルレベル近傍の部分では重み付けを小さくすることで、効果を減少させていく。これにより、中間輝度の成分について、明暗を明確にすると共に、レベル間の繋がりを滑らかにすることが可能となる。
【００４３】
トーンカーブ生成部１５３は、合成部１５２により合成された輝度のヒストグラムに基づいて、映像信号に含まれる画像データに対して階調補正を行うためのトーンカーブを生成する。
【００４４】
図４は、トーンカーブ生成部１５３により生成されるトーンカーブを示した図である。図４に示すトーンカーブでは、横軸が入力輝度であり、縦軸が出力輝度である。図４に示すトーンカーブは、合成部１５２により合成された輝度のヒストグラム（例えば図３の（３））から生成されている。このため、緑色成分の輝度の要素が加算された範囲４０１で、トーンカーブが急峻に変化していることが確認できる。
【００４５】
トーンカーブの生成手法については、どのような手法を用いてもよい。例えば、合成された後の輝度のヒストグラムのうち、レベル毎の度数のデータを累積的に加算してもよい。これにより、度数が密集する部分（情報が多い）のレベルでは傾斜が大きくなるため、階調補正を行う際の微分利得が上昇し、度数が希薄（情報が少ない）なレベルでは階調補正を行う際の微分利得が減少する。
【００４６】
そして、補正部１６１が、トーンカーブ生成部１５３により生成されるトーンカーブに従って階調補正を行う。換言すれば合成部１５２により合成された輝度のヒストグラムに基づいて、映像信号に含まれるデジタル画像データに対して階調補正を行う。
【００４７】
補正部１６１による階調補正処理では、トーンカーブ生成部１５３により生成されたトーンカーブに従って階調補正を行うことで、映像信号のデジタル画像データの明るさの分布より導き出される、各明るさの映像面積に従い、各明るさが最適レベルとなるように処理を行う。
【００４８】
その際に、補正部１６１が、図４に示したトーンカーブを用いることで、映像にコントラストを付加する際に、全体的に暗部／明部よりも、緑成分による中間輝度の効果レベルが大きくなる。
【００４９】
本実施形態では、合成された輝度のヒストグラムを用いてトーンカーブ作成を行うことで、“指定の色の要素を持つ輝度信号”として着目した部分について微分利得の上昇効果を生じさせ、出力映像において、当該指定の色の明暗を明確にさせることができる。
【００５０】
映像処理部１１０は、補正部１６１により階調補正された映像信号を、表示装置１１１に出力する。これにより、表示装置１１１は、映像処理部１１０から出力された映像信号に基づいた表示画面を表示する。
【００５１】
さらに、映像処理部１１０は、映像信号に対して、輝度のヒストグラム等が認識できるウィンドウ情報を重畳して、出力することができる。本実施形態では、ウィンドウ情報に、輝度のヒストグラムの他に、階調補正に用いたトーンカーブなどの情報を表示することができる。
【００５２】
また、本実施形態にかかる映像処理部１１０は、輝度のヒストグラムを表示する際に、緑色の色成分（図２に示した色空間における部分領域２０１）で示された範囲内の色差成分を有する画素による明るさ成分と、他の画素による明るさ成分と、の色を異ならせた上で、輝度のヒストグラムを出力する。
【００５３】
図５は、トーンカーブ生成部１５３が生成したトーンカーブに基づく輝度ヒストグラムによる階調補正を行わない場合の画面例を示した図である。図５に示す例では、通常のトーンカーブに基づく階調処理のみ行われている。このため、質感リアライザ特性５０１として示された、トーンカーブにおいては、入力映像輝度に対して、出力映像輝度が一定の割合で増加していることが確認できる。また、ヒストグラムにおける輝度分布５０２では、映像の薄橙色分布と、緑色分布と、その他の色分布と、がそれぞれ異なる色で表示される。これにより、ユーザは、色毎の輝度の分布を確認できる。
【００５４】
図６は、表示制御部１５０が生成したトーンカーブに基づく輝度ヒストグラムによる階調補正を行った場合の画面例を示した図である。図６に示す例では、トーンカーブ生成部１５３により生成されたトーンカーブに基づく階調処理が行われている。このため、緑成分の階調が明確になるよう補正されている。このため図６に示す例では、芝の階調の違いをユーザが認識可能に表示されている。これにより、ユーザは、グリーンの芝目などを把握することができる。
【００５５】
このため、ウィンドウ６０１において、質感リアライザ特性６０２として示された、トーンカーブにおいては、入力映像輝度に対して、出力映像輝度が、緑成分が多い帯域で急峻に増加していることが確認できる。これにより、上述したような緑の階調の違いが、ユーザが認識可能に表示される。また、ヒストグラムにおける輝度分布では、図５と同様に、映像の薄橙色分布と、緑色分布と、その他の色分布と、がそれぞれ異なる色で表示される。これにより、ユーザは、色毎の輝度の分布を確認できる。
【００５６】
次に、本実施形態にかかるテレビジョン放送受信装置１００の階調補正を開始するまでの操作について説明する。
【００５７】
図７は、テレビジョン放送受信装置１００が表示する映像設定メニューの例を示した図である。図７に示す映像設定メニュー７０１は、リモートコントローラ１８０上に設けられた所定のボタンを押下することで表示されても良いし、メインメニューから、映像設定項目の選択を受け付けることで表示されても良い。そして、本実施形態では、リモートコントローラ１８０が、コンテンツモード項目７０２の選択を受け付けた場合に、映像設定メニュー７０１から、コンテンツモードの選択メニューに遷移する。
【００５８】
図８は、テレビジョン放送受信装置１００が表示するコンテンツモード選択メニューの例を示した図である。図８に示す例では、コンテンツモード選択メニューとして、オートと、ゴルフと、アニメと、写真と、オフと、が選択可能に表示される。本実施形態では、ゴルフ項目８０１の選択を受け付けた場合に、表示制御部１５０、及び映像処理部１１０により、緑成分の輝度分布に基づく階調補正が行われる。
【００５９】
また、ゴルフ項目８０１の選択を受け付けた場合に、映像信号による画面表示と共に、ヒストグラム表示を行っても良い。図９は、テレビジョン放送受信装置１００が表示する表示画面上に表示されるヒストグラム表示ウィンドウの例を示した図である。図９に示すヒストグラム表示ウィンドウ９０１には、色毎の分布の違いが認識可能に表示されている輝度分布９０２と、階調補正に用いたトーンカーブが示された質感リアライザ特性９０３と、が表示される。なお、輝度分布９０２と質感リアライザ特性９０３とは、図５及び図６と同様とする。
【００６０】
次に、本実施の形態にかかるテレビジョン放送受信装置１００における、階調補正を行うまでの処理について説明する。図１０は、本実施の形態にかかるテレビジョン放送受信装置１００における上述した処理の手順を示すフローチャートである。
【００６１】
まず、映像処理部１１０が、ユーザからの操作に従って、図７に示すような映像設定ウィンドウを表示する（ステップＳ１００１）。
【００６２】
そして、処理部１０５が、受光部１２１を介して、リモートコントローラ１８０で行われたコンテンツモード選択を受け付ける（ステップＳ１００２）。
【００６３】
その後、映像処理部１１０が、図８に示すようなコンテンツモードの設定ウィンドウを表示する（ステップＳ１００３）。
【００６４】
次に、処理部１０５が、受光部１２１を介して、リモートコントローラ１８０で行われたゴルフモード選択を受け付ける（ステップＳ１００４）。
【００６５】
これに伴い、抽出部１３３が、映像信号から輝度のヒストグラムを抽出する（ステップＳ１００５）。なお、抽出した輝度のヒストグラムでは、色との対応関係を認識可能に抽出される。抽出された輝度のヒストグラムは、映像信号と共に、表示制御部１５０に出力される。
【００６６】
そして、特定色分布抽出部１５１が、映像信号から緑色成分の輝度のヒストグラムを抽出する（ステップＳ１００６）。
【００６７】
その後、合成部１５２が、特定色抽出部１５１により抽出された輝度のヒストグラムに対して、特定色分布抽出部１５１により抽出された緑成分の輝度のヒストグラムを合成する（ステップＳ１００７）。
【００６８】
そして、トーンカーブ生成部１５３が、合成された輝度のヒストグラムから、トーンカーブを生成する（ステップＳ１００８）。
【００６９】
その後、補正部１６１が、生成されたトーンカーブに基づいて、デジタル映像信号で表示される画面情報について階調補正を行う（ステップＳ１００９）。その際、補正部１６１は、データ変換テーブル１０５ｄを参照する。これにより、トーンカーブに基づいた階調補正を行うためのパラメータが設定される。
【００７０】
その後、映像処理部１１０が、階調補正が行われた映像信号と共に、ヒストグラム表示ウィンドウを、表示装置１１１に表示する（ステップＳ１０１０）。
【００７１】
上述した処理手順により、ゴルフの観戦に適した、緑成分の明暗が明確になった映像が表示される。これにより、芝の目が把握しやすいため、パットのラインを読みやすいなど視聴者に対してゴルフ観戦のさらなる楽しみを提供することが可能となる。
【００７２】
本実施形態では、ユーザが能動的にゴルフモードに選択する場合について説明した。しかしながら、ユーザが選択する場合に制限するものではなく、テレビジョン放送受信装置１００側で自動的にゴルフモードを選択しても良い。例えば、ＥＰＧで番組毎のメタ情報を参照し、番組毎にゴルフ番組であるか否かを判定し、ゴルフ番組と判定された場合に自動的にゴルフモードに設定しても良い。
【００７３】
また、本実施形態では、ゴルフモードから、通常のモードに戻る手法としては、どのような手法を用いても良い。ゴルフモードを設定した番組が終了した場合や、異なるチャンネルに遷移した場合に、ゴルフモードを解除しても良いし、ユーザからゴルフモードの設定の解除を受け付けてもよい。
【００７４】
本実施形態は、テレビジョン放送受信装置１００を用いた例について説明したが、テレビジョン放送受信装置に制限するものではなく、他の装置に適用しても良い。例えば、タブレット端末などの携帯装置に適用しても良いし、テレビジョン放送受信装置に接続されるコンテンツ録画装置等に適用しても良い。このように映像情報の出力又は表示が可能な装置であればよい。
【００７５】
以上、説明したとおり、第１の実施形態によれば、従来と比べて、指定した色味の部分についてのみ着目して部分的なコントラストの拡大を行った。このように第１の実施形態によれば、上述した処理を行うことで、好適な階調補正が可能となる。従来においては、画面全体の映像のバランスの中でコントラスト改善を主とする高画質アプローチというものを行ってきたが、画面内の特定の色成分の領域についてコントラスト改善を行うことで、ユーザが着目している点を認識可能に表示することを可能とする。このようにユーザの嗜好に応じた映像を提供することができる。
【００７６】
第１の実施形態によれば、映像の中に、ある色成分に微小な明暗の違いがある場合、この違いを意図的に拡大させる階調補正を行うこととした。このように、通常は埋もれてしまう違いを浮かび上がらせることで、従来とは異なる映像の楽しみ方を提供することができる。
【００７７】
なお、本実施形態のテレビジョン放送受信装置１００で実行される表示制御プログラムは、ＲＯＭ１０５ａ等に予め組み込まれて提供される。また、本実施形態では、表示制御部１５０と、補正部１６１及び映像処理部１１０と、を別構成としたが、これらを処理部１０５内にまとめて構成してもよい。
【００７８】
本実施形態のテレビジョン放送受信装置１００で実行される表示制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００７９】
さらに、本実施形態のテレビジョン放送受信装置１００で実行される表示制御プログラムを、インターネット等のネットワークに接続されたコンピュータ上に格納し、ネットワーク経由でダウンロードさせることにより提供するように構成しても良い。また、本実施形態のテレビジョン放送受信装置１００で実行される表示制御プログラムをインターネット等のネットワーク経由で提供または配布するように構成しても良い。
【００８０】
本実施形態のテレビジョン放送受信装置１００で実行される表示制御プログラムは、上述した各部を含むモジュール構成となっており、実際のハードウェアとしてはＣＰＵ（プロセッサ）が上記ＲＯＭ１０５ａから表示制御プログラムを読み出して実行することにより上記各部が主記憶装置上にロードされ、上述した構成が主記憶装置上に生成されるようになっている。
【００８１】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８２】
１００…テレビジョン放送受信装置、１０１…アンテナ、１０２…入力端子、１０３…チューナ、１０４ａ…復調器、１０４ｂ…復号器、１０５…処理部、１０５ａ…ＲＯＭ、１０５ｂ…ＲＡＭ、１０５ｃ…不揮発性メモリ、１０５ｄ…データ変換テーブル、１０６…信号処理部、１０７…グラフィック処理部、１０８…音声処理部、１０９…ＯＳＤ信号生成部、１１０…映像処理部、１１１…表示装置、１１２…出力端子、１１３…音声出力装置、１１４…出力端子、１２０…操作部、１２１…受光部、１３１…デコーダ、１３２…セクション部、１３３…抽出部、１５０…表示制御部、１５１…特定色分布抽出部、１５２…合成部、１５３…トーンカーブ生成部、１６１…補正部、１７０…記録装置、１８０…リモートコントローラ
【図１】
2013211812.tif 000003
【図２】
2013211812.tif 000004
【図３】
2013211812.tif 000005
【図４】
2013211812.tif 000006
【図５】
2013211812.tif 000007
【図６】
2013211812.tif 000008
【図７】
2013211812.tif 000009
【図８】
2013211812.tif 000010
【図９】
2013211812.tif 000011
【図１０】
2013211812.tif 000012